【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
吸入によって人に薬物を送達するためのスマート吸入器システムであって、前記システムは、
前記人によって作られた気体を使用して前記人のアイデンティティを確証するように構成されたブレスプリントセンサシステム（１５２）と、
吸入器装置（１５４）であって、前記吸入器装置（１５４）が前記人によって受け取られる時に、吸入を介して前記人に前記薬物を送達するように適合された前記吸入器装置（１５４）と、
前記ブレスプリントセンサシステム（１５２）および前記吸入器装置（１５４）と通信している制御システム（１５６）であって、前記制御システム（１５６）が、
前記ブレスプリントセンサシステム（１５２）から情報を受け取り、前記情報は、前記人のアイデンティティが確証されるかどうかを示し、
受け取られた前記情報に従って前記吸入器装置（１５４）の動作を制御する
ように構成される、制御システムと
を備え、
前記受け取られた情報に従って前記吸入器装置の前記動作を制御することが、前記受け取られた情報に従って薬物の送達を制御することを含む、スマート吸入器システム。
【請求項２】
前記ブレスプリントセンサシステム（１５２）、前記吸入器装置（１５４）、および／または前記制御システム（１５６）にデータを入力し、かつ／またはそれからデータを出力するためのインターフェースシステム（１５８）をさらに含み、
前記インターフェースシステムは、
ワイヤレスネットワークを介して外部デバイスとデータを交換するためのワイヤレスネットワークインターフェース；および／または
ユーザ入力を受け取り、ユーザに情報を提供するように構成された入出力デバイス
を含む、請求項１に記載のスマート吸入器システム。
【請求項３】
前記制御システムは、
前記ブレスプリントセンサシステムから受け取られた前記情報が、前記人のアイデンティティが確証されていないことを示すときに、確証されていない人が前記吸入器装置を使用しようとしたことを示す通知を送る；および／または
前記ブレスプリントセンサシステムから受け取られた前記情報が、前記人のアイデンティティが確証されていないことを示すときに、前記吸入器装置を非アクティブ化する；および／または
前記ブレスプリントセンサシステムから受け取られた前記情報が、前記人のアイデンティティが確証されていないことを示す時に、前記ブレスプリントセンサシステムに呼吸サンプルを提供するように前記人を促す；および／または
前記ブレスプリントセンサシステムから受け取られた前記情報が、前記人のアイデンティティが確証されていないことを示す時に、前記人のアイデンティティを確証するために呼吸サンプルから導出されない代替情報を提供するように前記人を促す
ようにさらに構成される、請求項１または２に記載のスマート吸入器システム。
【請求項４】
前記制御システムは、前記ブレスプリントセンサシステムおよび前記吸入器装置に通信可能に結合された１つ以上のプロセッサを備え、
前記プロセッサのうちの少なくとも１つは、
前記人によって作られた呼吸サンプルから導出された情報を分析し、前記人が呼吸障害を有すると判定し、
前記呼吸障害を１つ以上の環境条件に関連付け、
前記１つ以上の環境条件を位置データに関連付け、
前記呼吸障害に関連する前記１つ以上の環境条件の地図を作成する
ように構成される、請求項１〜３のいずれか一項に記載のスマート吸入器システム。
【請求項５】
前記ブレスプリントセンサシステムは、
気体内の化合物に対する第１の応答特性を有する複数の第１のセンサであって、前記第１の応答特性は、第１の呼吸サンプルに対する前記第１のセンサの露出に応答する異なるレベルを有し、前記第１のセンサは、前記第１の応答特性の前記異なるレベルを表すセンサデータを出力するように構成される、複数の第１のセンサと、
気体内の化合物に対する第２の応答特性を有する１つ以上の第２のセンサであって、前記１つ以上の第２のセンサは、前記第２の応答特性を表す補足センサデータを出力するように構成される、１つ以上の第２のセンサと、
を含み、
前記第１の応答特性は、前記人の前記アイデンティティを確証するためにチューニングされ、
前記第２の応答特性は、１つ以上の生物学的マーカのためにチューニングされ、
前記１つ以上の生物学的マーカは、薬物の薬物動態学に関連し、前記プロセッサのうちの少なくとも１つは、
前記１つ以上の生物学的マーカのためにチューニングされた前記第２の応答特性を表す前記補足センサデータを使用して前記吸入器装置によって送達される前記薬物の用量の効力を判定し、
前記効力に基づいて前記薬物の送達プランを判定する
ように構成される、請求項４に記載のスマート吸入器システム。
【請求項６】
人のアイデンティティを確証するためのブレスプリントセンサシステムであって、
気体内の化合物に対する第１の応答特性を有する複数の第１のセンサであって、前記第１の応答特性は、第１の呼吸サンプルに対する前記第１のセンサの露出に応答する異なるレベルを有し、前記第１のセンサは、前記第１の応答特性の前記異なるレベルを表すセンサデータを出力するように構成される、複数の第１のセンサと、
前記第１のセンサと通信している１つ以上のプロセッサであって、前記１つ以上のプロセッサは、
試験データとして前記出力されたセンサデータのセットを前記第１のセンサから受け取り、前記出力されたセンサデータのセットは、試験段階中に前記人によって作られた気体に対する前記第１のセンサの露出に基づき、
前記試験データが前記人の前記アイデンティティを確証するかどうかを判定する
ように構成される、１つまたは複数のプロセッサと、
を備える請求項１に記載のスマート吸入器システム。
【請求項７】
前記第１のセンサが、前記第１のセンサの表面温度が変調されない時に前記センサデータを入手するようにさらに構成される；または
各センサが、気体内の揮発性有機化合物（ＶＯＣ）への露出に基づく可変コンダクタンスを有する高分子層を備える
請求項５または６に記載のスマート吸入器システム。
【請求項８】
前記１つ以上のプロセッサが、
特徴抽出を介して前記試験データから試験特徴ベクトルを導出する；および／または
前記試験特徴ベクトルをトレーニングデータから導出されたトレーニング特徴ベクトルと比較し、
前記比較に基づいて、前記試験データが前記人の前記アイデンティティを確証するかどうかを判定する
ようにさらに構成される、請求項６または請求項６を引用する請求項７に記載のスマート吸入器システム。
【請求項９】
ブレスプリントセンサシステム（１５２）と、吸入器装置（１５４）と、前記ブレスプリントセンサシステム（１５２）および前記吸入器装置（１５４）と通信している１つ以上のプロセッサとを含むスマート吸入器システムを制御するための方法であって、
人によって作られた気体を使用して前記人のアイデンティティが確証されるかどうかを示す情報を前記ブレスプリントセンサシステム（１５２）から受け取るステップと、
前記受け取られた情報に従って前記吸入器装置（１５４）の動作を制御するステップと
を備え、
前記受け取られた情報に従って前記吸入器装置の前記動作を制御するステップは、前記受け取られた情報に従って薬物の送達を制御するステップを含む、方法。
【請求項１０】
前記受け取られた情報に従って前記吸入器装置（１５４）の前記動作を制御するステップは、前記ブレスプリントセンサシステム（１５２）から受け取られた前記情報が、前記人のアイデンティティが確証されていないことを示す時に、
確証されていない人が前記吸入器装置を使用しようとしたことを通知する通知を別の人に送る動作と、
前記吸入器装置を非アクティブ化する動作と、
呼吸サンプルを前記ブレスプリントセンサシステム（１５２）に提供するように前記人を促す動作と、
前記人のアイデンティティを確証するためにどの呼吸サンプルからも導出されない代替情報を提供するように前記人を促す動作と、
それら動作の任意の組合せと
からなる群から選択された動作を実行するステップを含む、請求項９に記載の方法。
【請求項１１】
前記方法が、
気体内の化合物に対する第１の応答特性を有する複数の第１のセンサを含むブレスプリントセンサシステムを使用して人のアイデンティティを確証するステップであって、前記第１の応答特性が、第１の呼吸サンプルに対する前記第１のセンサの露出に応答する異なるレベルを有し、前記第１のセンサは、前記第１の応答特性の前記異なるレベルを表すセンサデータを出力するように構成され、前記アイデンティティを確証するステップは、
試験データとして前記出力されたセンサデータのセットを前記第１のセンサから受け取るステップであって、前記出力されたセンサデータのセットは、前記人によって作られた気体に対する前記第１のセンサの露出に基づく、ステップと、
前記試験データが前記人の前記アイデンティティを確証するかどうかを判定するステップと、
を含む、請求項９に記載の方法。
【請求項１２】
前記ブレスプリントセンサシステムは、気体内の化合物に対する第２の応答特性を有する１つまたは複数の第２のセンサをさらに含み、前記方法は、
前記人によって作られた前記気体への前記１つ以上の第２のセンサの露出に基づいて前記１つ以上の第２のセンサによって提供された補足センサデータのセットを受け取るステップと、
前記補足センサデータのセットに関連する生物学的条件または環境条件を識別するステップと、
前記生物学的条件または前記環境条件を示す情報を提供するステップと、
をさらに含む、請求項１１に記載の方法。
【請求項１３】
前記試験データが前記人の前記アイデンティティを確証するかどうかを判定するステップは、
前記試験データを前処理するステップと、
前記前処理された試験データを（Ｉ）前記試験データのパターンが前記人に属するものとして認識される時の確証されたアイデンティティおよび（ＩＩ）前記試験データのパターンが前記人に属さないものとして認識される時の確証されないアイデンティティを含む複数のクラスのうちの１つに分類するためにパターンクラシファイヤを使用するステップと、
を含む、請求項１１または１２に記載の方法。
【請求項１４】
前記前処理された試験データを分類するステップの前に、トレーニングデータの１つ以上のセットから前記パターンクラシファイヤをトレーニングするステップをさらに含み、
前記パターンクラシファイヤをトレーニングするステップは、
トレーニング段階中に前記人によって作られた気体への前記第１のセンサの１つ以上の露出に基づいて前記第１のセンサによって提供された肯定のトレーニングデータの１つ以上のセットを受け取るステップと、
肯定のトレーニングデータの前記１つ以上のセットを前記パターンクラシファイヤに提供するステップと、
肯定のトレーニングデータの前記１つ以上のセットが前記人に属することを前記パターンクラシファイヤに知らせるステップと、
を含み、
前記パターンクラシファイヤをトレーニングするステップは、
トレーニング段階中に前記人によって作られなかった気体への前記第１のセンサの１つ以上の露出に基づいて前記第１のセンサによって提供された否定のトレーニングデータの１つ以上のセットを受け取るステップと、
前記否定のトレーニングデータの前記１つ以上のセットを前記パターンクラシファイヤに提供するステップと、
前記否定のトレーニングデータの１つ以上のセットが前記人に属さないことを前記パターンクラシファイヤに知らせるステップと、
をさらに含む、請求項１３に記載の方法。
【請求項１５】
１つまたは複数のプロセッサによって実行されるコンピュータ可読プログラムコードを記憶する非一時的コンピュータ可読媒体であって、前記プログラムコードは、ブレスプリントセンサシステム（１５２）および吸入器装置（１５４）を含むスマート吸入器システムに、請求項９〜１４のいずれか一項に記載の方法のステップを実行させるように構成された命令を含む、非一時的コンピュータ可読媒体。